(57)【要約】【課題】締め付けに起因する不具合を防止する。【解決手段】バッテリーターミナルは、バッテリーポスト９０に嵌着される平面視弧状の電極保持部１０と、電極保持部１０の両端から互いに対向しつつ突出し、それぞれに貫通孔２２が同軸で開口する１対の締付片２１Ａ、２１Ｂとを備える。貫通孔２２に挿入されたボルト７０とナット６０が締め付けられることにより、両締付片２１Ａ、２１Ｂが互いに接近する方向に変位し、それに伴って電極保持部１０が縮径してバッテリーポスト９０に固定される。一方の締付片２１Ａの突出方向とこの締付片２１Ａが連結される電極保持部１０の一方の端部１６における接線１７の方向との間に構成される傾斜角θ２が、他方の締付片２１Ｂの突出方向とこの締付片２１Ｂが連結される電極保持部１０の他方の端部１８における接線１９の方向との間に構成される傾斜角θ１よりも大きくされている。【選択図】図５
2011210578.tif 000002
【特許請求の範囲】
【請求項１】
金属板を曲げ加工して成形され、
バッテリーポストに嵌着される円弧状の電極保持部と、
前記電極保持部の両端から互いに対向しつつ突出し、それぞれに貫通孔が同軸で開口する１対の締付片とを備え、
前記貫通孔に挿入されたボルトとナットが締め付けられることにより、前記両締付片が互いに接近する方向に変位し、それに伴って前記電極保持部が縮径して前記バッテリーポストに固定されるバッテリーターミナルであって、
前記両締付片のうち、一方の締付片の突出方向とこの締付片が連結される電極保持部の一方の端部における接線方向との間に構成される傾斜角が、他方の締付片の突出方向とこの締付片が連結される電極保持部の他方の端部における接線方向との間に構成される傾斜角よりも大きくされていることを特徴とするバッテリーターミナル。
【請求項２】
前記他方の締付片に前記ボルトの頭部が支持され、前記頭部の外周面が前記電極保持部の外周面に当接している請求項１記載のバッテリーターミナル。
【発明の詳細な説明】
【技術分野】
【０００１】
本発明は、バッテリーターミナルに関する。
【背景技術】
【０００２】
特許文献１には、従来のバッテリーターミナルが開示されている。これは、バッリテーポストに嵌着される平面視弧状の電極保持部と、電極保持部の両端から互いに平行に突出する１対の締付片とを備える。両締付片には、それぞれ貫通孔が同軸で開口して形成されている。両締付片の貫通孔にボルトが挿入され、その状態でボルトにナットが締め付けられることにより、両締付片が互いに接近する方向に変位し、それに伴って電極保持部が縮径してバッテリーポストに固定されるようになっている。
【先行技術文献】
【特許文献】
【０００３】
【特許文献１】特開２００７−１４１７２７号公報
【発明の概要】
【発明が解決しようとする課題】
【０００４】
ところで、ボルト及びナットの締め付けに際し、ナットにインパクトレンチのソケットが嵌め付けられる。しかし、仮に、図１０に示すように、両締付片２の突出量が小さく、電極保持部３と貫通孔４との間に充分な距離が確保されていない場合に、インパクトレンチ５が適正な姿勢で取り付けられないと、ソケット６が電極保持部３の外周面に干渉することがある。このため、電極保持部３の外周面上のメッキが剥がれるという問題がある。これに鑑み、例えば、両締付片２の突出量を大きくして、電極保持部３と貫通孔４との間に充分な距離を確保すると、ソケット６と電極保持部３の干渉を回避できるが、その場合、ボルト７及びナット８の締付力が電極保持部３に充分に伝わらず、バッテリーポスト９に対する保持力が低下するおそれがある。また、例えば、ナット８と締付片２との間にワッシャを介在させることにより、ナット８と締付片２との距離を広げて、ソケット６と電極保持部３の干渉を回避することも可能であるが、ワッシャを追加する分、部品点数が増加するとともに、コスト高になるという事情がある。
【０００５】
本発明は上記のような事情に基づいて完成されたものであって、締め付けに起因する不具合を是正することを目的とする。
【課題を解決するための手段】
【０００６】
上記の目的を達成するための手段として、請求項１の発明は、金属板を曲げ加工して成形され、バッテリーポストに嵌着される円弧状の電極保持部と、前記電極保持部の両端から互いに対向しつつ突出し、それぞれに貫通孔が同軸で開口する１対の締付片とを備え、前記貫通孔に挿入されたボルトとナットが締め付けられることにより、前記両締付片が互いに接近する方向に変位し、それに伴って前記電極保持部が縮径して前記バッテリーポストに固定されるバッテリーターミナルであって、前記両締付片のうち、一方の締付片の突出方向とこの締付片が連結される電極保持部の一方の端部における接線方向との間に構成される傾斜角が、他方の締付片の突出方向とこの締付片が連結される電極保持部の他方の端部における接線方向との間に構成される傾斜角よりも大きくされているところに特徴を有する。
【０００７】
請求項２の発明は、請求項１に記載のものにおいて、前記他方の締付片に前記ボルトの頭部が支持され、前記頭部の外周面が前記電極保持部の外周面に当接しているところに特徴を有する。
【発明の効果】
【０００８】
＜請求項１の発明＞
両締付片のうち、一方の締付片の突出方向とこの締付片が連結される電極保持部の一方の端部における接線方向との間に構成される傾斜角が、他方の締付片の突出方向とこの締付片が連結される電極保持部の他方の端部における接線方向との間に構成される傾斜角よりも大きくされているから、一方の締付片側に工具を作用させることにより、工具と電極保持部との干渉が回避される。その結果、電極保持部の外周面上のメッキが剥がれるのが防止される。また、両締付片の突出量を増加させたり、締付片とナットとの間にワッシャを介在させたりする必要もない。さらに、工具の締付作業が容易になり、締付不良が軽減される。したがって、本発明によれば、工具の締め付けに伴う不具合が是正される。
【０００９】
＜請求項２の発明＞
小さい傾斜角をもった他方の締付片にボルトの頭部が支持され、頭部の外周面が電極保持部の外周面に当接しているから、締め付けに伴って、頭部が連れ回りするのが回避されるとともに、頭部が電極保持部の外周面に突き当たって電極保持部に大きな衝撃が加わるのが回避される。
【図面の簡単な説明】
【００１０】
【図１】実施形態１に係るバッテリーターミナルの締付前の平面図である。
【図２】バッテリーターミナルの締付後の平面図である。
【図３】バッテリーターミナルの締付前の正面図である。
【図４】バッテリーターミナルの締付後の正面図である。
【図５】バッテリーターミナルの概略図である。
【図６】実施形態２に係るバッテリーターミナルの締付前の平面図である。
【図７】バッテリーターミナルの概略図である。
【図８】参考例に係るバッテリーターミナルの締付前の平面図である。
【図９】バッテリーターミナルの締付後の平面図である。
【図１０】従来例のバッテリーターミナルの平面図である。
【発明を実施するための形態】
【００１１】
＜実施形態１＞
本発明の実施形態１を図１ないし図５によって説明する。実施形態１に係るバッテリーターミナルは、導電性の金属板を曲げ加工等して一体に成形され、電極保持部１０、締付部２０、及び電線接続部４０を備えている。
【００１２】
電極保持部１０は、図１に示すように、有端環状であって平面視円弧状をなし、バッテリーポスト９０に外嵌される。そして、電極保持部１０は、その両端間の開口１１を縮める方向に撓み変形可能とされ、自然状態ではその内径がバッテリーポスト９０の外径よりも少し大きくされている。電極保持部１０の内周面には、高さ方向に延びる凹溝１２が周方向に複数形成されている。なお、バッテリーポスト９０は、上端に向けて次第に縮径する円柱台形状をなしている（図４を参照）。
【００１３】
電極保持部１０のうちその中心１３を挟んで開口１１とは反対側の端部には、電線接続部４０が連なって形成されている。電線接続部４０は、電極保持部１０の上端縁に連結されてそこから後方（図示向かって上側）に突出する平板状の基部４１と、基部４１の後端部から下方に突出する１対のかしめ片（図示せず）とを有している。両かしめ片は、オープンバレル状をなし、電線８０の端末にかしめ付けして接続されている。
【００１４】
電極保持部１０のうち開口１１を挟んで両側に位置する端部（両端部）に、締付部２０が連成されている。締付部２０は、方形板状の１対の締付片２１Ａ、２１Ｂからなる。両締付片２１Ａ、２１Ｂは、互いにほぼ平行に対向し、かつその板面がほぼ上下方向（高さ方向）に沿って配置されている。両締付片２１Ａ、２１Ｂには、円形の貫通孔２２が同軸で開口して形成されている。両締付片２１Ａ、２１Ｂの貫通孔２２には、ボルト７０の軸部７１が挿入される。軸部７１は、両締付片２１Ａ、２１Ｂのうち他方の締付片２１Ｂの貫通孔２２から一方の締付片２１Ａの貫通孔２２に挿入され、その先端部が一方の締付片２１Ａの貫通孔２２から側方（高さ方向と直交する方向）に突き出るようになっている。軸部７１の先端部には、ナット６０が螺合される。ボルト７０の頭部７２が他方の締付片２１Ｂの外側面に当接するとともに、ナット６０が一方の締付片２１Ａの外側面に当接した状態で、軸部７１にナット６０が深くねじ込まれることにより、両締付片２１Ａ、２１Ｂが互いに接近する方向に変位し、それに伴って電極保持部１０が縮径変形されて、バッテリーポスト９０に固定されるようになっている。この場合、電極保持部１０は、その中心１３と電線接続部４０の幅方向中心とを結ぶ軸線１４との交差部分を支点１５として、撓み変形した状態で保持される（図５を参照）。なお、ナット６０と締付片２１Ａとの間に、ワッシャーは介在していない。
【００１５】
図３に示すように、他方の締付片２１Ｂの下端縁には、この締付片２１Ｂの板面方向とほぼ直交し、かつ一方の締付片２１Ａ側となる内側に向けて屈曲される第１折曲片２３が形成されている。また、一方の締付片２１Ａの上端縁には、この締付片２１Ａの板面方向とほぼ直交し、かつ他方の締付片２１Ｂ側となる内側に向けて屈曲される第２折曲片２４が形成されている。正規の締付位置では、第１折曲片２３の先端が一方の締付片２１Ａの内側面に当接するとともに、第２折曲片２４の先端が他方の締付片２１Ｂの内側面に当接することにより、電極保持部１０への過度な締め付けが規制されるようになっている。なお、一方の締付片２１Ａは他方の締付片２１Ｂよりも全体として下方に位置している。
【００１６】
他方の締付片２１Ｂの上端縁には、この締付片２１Ｂの板面方向とほぼ直交し、かつ一方の締付片２１Ａとは反対側となる外側に向けて屈曲される第３折曲片２５が形成されている。また、一方の締付片２１Ａの下端縁には、この締付片２１Ａの板面方向とほぼ直交し、かつ他方の締付片２１Ｂとは反対側となる外側に向けて屈曲される第４折曲片２６が形成されている。第３折曲片２５にはボルト７０の頭部７２が当接することでその頭部７２の回り止めがなされ、第４折曲片２６にはナット６０が当接することでそのナット６０の回り止めがなされる。
【００１７】
さて、図５に概略的に示すように、両締付片２１Ａ、２１Ｂの突出方向（電極保持部１０の両端からの突出方向）は、平面視において、電極保持部１０の中心１３を通りかつ支点１５を通る軸線１４と交差する方向に設定されている。軸線１４上には電線８０が配索されており、つまり、両締付片２１Ａ、２１Ｂの突出方向は電線８０の導出方向と交差する方向に設定されている。
【００１８】
詳細には、両締付片２１Ａ、２１Ｂのうち、一方の締付片２１Ａは、この締付片２１Ａが連結される電極保持部１０の一方の端部１６における接線１７との間に、傾斜角θ２をもって突出し、他方の締付片２１Ｂは、この締付片２１Ｂが連結される電極保持部１０の他方の端部１８における接線１９との間に、傾斜角θ１をもって突出している。この場合、傾斜角θ２＞傾斜角θ１の関係が成り立ち、全体として他方の締付片２１Ｂ側に傾く状態となる。
【００１９】
また、一方の締付片２１Ａの貫通孔２２と電極保持部１０の一方の端部１６との間の離間距離は、他方の締付片２１Ｂの貫通孔２２と電極保持部１０の他方の端部１８との間の離間距離よりも大きくされている。また、一方の締付片２１Ａの突出先端とその貫通孔２２との間の離間距離は、他方の締付片２１Ｂの突出先端とその貫通孔２２との間の離間距離とほぼ同一とされている。よって、両締付片２１Ａ、２１Ｂが他方の締付片２１Ｂ側に傾いていることから、一方の締付片２１Ａのほうが他方の締付片２１Ｂよりも長くなっている。
【００２０】
さらに詳細には、電極保持部１０の一方の端部１６と支点１５との間の離間距離は、電極保持部１０の他方の端部１８と支点１５との間の離間距離よりも小さくされている。したがって、電極保持部１０の一方の端部１６と他方の端部１８との間の中心２９は、軸線１４に対して一方の締付片２１Ａ側に偏心している。
【００２１】
次に、本実施形態の作用を説明する。
両締付片２１Ａ、２１Ｂの貫通孔２２にボルト７０の軸部７１を挿入し、他方の締付片２１Ｂにボルト７０の頭部７２を支持させる。このとき、ボルト７０の頭部７２は、傾斜角θ１が小さいことに起因して、電極保持部１０の外周面に当接させられ、その後の締付動作の間でもその当接状態が維持される。また、ボルト７０の挿入方向は、軸線１４に対して傾斜する方向とされる。続いて、ボルト７０の軸部７１の先端側にナット６０を緩く嵌め付け、その状態で、バッテリーポスト９０に電極保持部１０を遊嵌させる。
【００２２】
次いで、図１に示すように、ナット６０に外側からインパクトレンチ等の工具５０のソケット５１を嵌め付け、さらに工具５０を作動させて、軸部７１にナット６０を深くねじ込む。すると、両締付片２１Ａ、２１Ｂが互いに接近し、正規の締付位置に至るに伴い、図２及び図４に示すように、第１、第２折曲片２３、２４がそれぞれ相手側に当接して、両締付片２１Ａ、２１Ｂのそれ以上の接近が規制される。これにより、電極保持部１０が支点１５を介して縮径方向に撓み変形され、バッテリーポスト９０に周方向から密着し適正な保持力をもって固定される。このとき、凹溝１２の食い込み作用によって電極保持部１０がバッテリーポスト９０の周方向に回転するのが規制される。
【００２３】
ここで、図５に示すように、傾斜角θ２＞傾斜角θ１であるため、電極保持部１０の一方の端部１６における接線１７と一方の締付片２１Ａとの間に区画される空間２８は、電極保持部１０の他方の端部１８における接線１９と他方の締付片２１Ｂとの間に区画される空間２７よりも大きく開いている。そして、この大きく開いた空間２８に、工具５０のソケット５１が余裕をもって進入するため、両締付片２１Ａ、２１Ｂが正規の締付位置に至るまでの間、ソケット５１の外周面が電極保持部１０の外周面と当接するようなことはない。
【００２４】
以上説明したように、本実施形態によれば、電極保持部１０の一方の端部１６における接線１７の方向と一方の締付片２１Ａの突出方向との間に構成される傾斜角θ２が、電極保持部１０の他方の端部１８における接線１９の方向と他方の締付片２１Ｂの突出方向との間に構成される傾斜角θ１よりも大きくされているから、一方の締付片２１Ａ側に工具５０が進入する大きな空間２８が確保される。したがって、工具５０と電極保持部１０との干渉が回避される。その結果、工具５０との干渉に起因して電極保持部１０の外周面上のメッキが剥がれるのが防止される。また、両締付片２１Ａ、２１Ｂの突出量を増加させたり、締付片２１Ａとナット６０との間にワッシャを介在させたりする必要もない。さらに、工具５０の締付作業が容易になり、締付不良が軽減される。したがって、工具５０の締め付けに伴う種々の不具合が是正される。
【００２５】
また、小さい傾斜角θ１をもった他方の締付片２１Ａ、２１Ｂにボルト７０の頭部７２が支持され、頭部７２の外周面が電極保持部１０の外周面に当接しているから、締め付けに伴って、頭部７２が連れ回りするのが回避されるとともに、頭部７２が電極保持部１０の外周面に突き当たって電極保持部１０に大きな衝撃が加わるのが回避される。
＜実施形態２＞
図６及び図７は、本発明の実施形態２を示す。
実施形態２では、図７に示すように、電極保持部１０の一方の端部１６Ａと支点１５との間の離間距離が、電極保持部１０の他方の端部１８Ａと支点１５との間の離間距離よりも大きくされている。言い換えれば、電極保持部１０の一方の端部１６Ａと他方の端部１８Ａとの間の中心２９Ａは、軸線１４に対して他方の締付片２１Ｂ側に偏心している。
つまり、実施形態２では、両締付片２１Ａ、２１Ｂのオフセット方向が実施形態１とは逆側とされている。その他は、実施形態１と同一の構成である。このため、図面の符合は、上記した一方の端部１６Ａ、他方の端部１９Ａ、及び中心２９Ａを除いて、実施形態１と同一としてある。
【００２６】
＜参考例＞
図８及び図９に、参考例を示す。参考例に係るバッテリーターミナルは、実施形態１と同様、電極保持部１０、１対の締付片２１Ｃ、２１Ｄ、及び電線接続部４０を有する。このうち、両締付片２１Ｃ、２１Ｄの突出方向及び形状が実施形態１とは異なるが、その他は実施形態１と同様である。よって、構造上の同一部位には、実施形態１と同一符合を付す。
【００２７】
両締付片２１Ｃ、２１Ｄは、電極保持部１０の中心１０及び支点１５を通る軸線１４に対して平行な向きに突出しており、実施形態１と違って、他方に締付片２１Ｄ側に傾いていない。
【００２８】
そして、一方の締付片２１Ｃの突出方向先端部には、ばね片３１が屈曲して形成されている。ばね片３１は、他方の締付片２１Ｄ側に向けて折り返された形態とされ、その先端が他方の締付片２１Ｄの内側面に弾性的に当接している。
【００２９】
ボルト７０及びナット６０の締付過程では、ばね片３１が一方の締付片２１Ｃとの間に構成される角度を小さくする向きに弾性的に屈曲変形され、正規の締付位置では、図９に示すように、ばね片３１が両締付片２１Ｃ、２１Ｄ間に弾性的に挟持されるようになっている。
【００３０】
この参考例によれば、ばね片３１によって締付時におけるトルク管理を容易に行うことができる、また、過度な締め付けが防止され、電極保持部１０や締付片２１Ｃ、２１Ｄが歪に変形するのが回避される。さらに、ばね片３１がワッシャの代用となるため、部品点数を削減できるとともに、スプリングバック効果によってボルト７０に対するナット６０の緩みが防止される。
【００３１】
＜他の実施形態＞
本発明は上記記述及び図面によって説明した実施形態に限定されるものではなく、例えば次のような実施形態も本発明の技術的範囲に含まれる。
（１）上記実施形態とは逆に、一方の締付片にボルトの頭部が支持され、他方の締付片にナットが支持され、ボルトの頭部に工具が作用するものであってもよい。
（２）本発明は、締付片とナットとの間にワッシャを介在させる構成を否定するものではない。
（３）両締付片が、電極保持部に対して軸周りにねじられた形態をなしていてもよい。
【符号の説明】
【００３２】
１０…電極保持部
１３…電極保持部の中心
１４…軸線
１５…支点
１６…一方の端部
１７…一方の端部における接線
１８…他方の端部
１９…他方の端部における接線
２２…貫通孔
２９…電極保持部の両端部間の中心
２１Ａ…一方の締付片
２１Ｂ…他方の締付片
６０…ナット
７０…ボルト
７２…頭部
【図１】
2011210578.tif 000003
【図２】
2011210578.tif 000004
【図３】
2011210578.tif 000005
【図４】
2011210578.tif 000006
【図５】
2011210578.tif 000007
【図６】
2011210578.tif 000008
【図７】
2011210578.tif 000009
【図８】
2011210578.tif 000010
【図９】
2011210578.tif 000011
【図１０】
2011210578.tif 000012